(57)【特許請求の範囲】
【請求項１】
使用者の視線を検出する視線検出センサと、
表示パネルと前記使用者との距離を検出する距離検出センサと、
前記視線検出センサにおいて検出された視線に基づき、前記視線が前記表示パネルのどの位置にあるかを判定する視線位置判定部を有し、
前記視線位置判定部が判定した視線が示す前記表示パネル上の座標を中心点とする、前記使用者が視認する前記表示パネルの視認領域を、前記距離検出センサにおいて検出された距離に基づき、設定し、
設定された前記視認領域の外側の非視認領域を、前記表示パネルに分割されて配置された発光部の領域の中で発光量を制御する制御領域と判定する制御部と、
を備え、
前記制御部は、前記表示パネルの前記非視認領域において、前記発光部の輝度を前記視認領域から遠くなるに従って下げる、表示装置。
【請求項２】
前記制御部は、前記距離検出センサにおいて検出された距離が大きくなる程、前記制御領域を小さくして、前記距離検出センサにおいて検出された距離が小さくなる程、前記制御領域を大きくする、請求項１に記載の表示装置。
【請求項３】
前記制御部は、
使用者の視野情報を記憶する視野情報記憶部をさらに備え、
前記制御領域を、前記視野情報記憶部に記憶された視野情報に基づき調整する、請求項１または２に記載の表示装置。
【請求項４】
使用者の視線を検出する視線検出工程と、
表示パネルと前記使用者との距離を検出する距離検出工程と、
前記視線検出工程において検出された視線に基づき、前記視線が前記表示パネルのどの位置にあるかを判定する視線位置判定工程と、
前記視線位置判定工程において判定された視線が示す前記表示パネル上の座標を中心点とする、前記使用者が視認する前記表示パネルの視認領域を、前記距離検出工程において検出された距離に基づき、設定する視認領域設定工程と、
設定された前記視認領域の外側の非視認領域を、前記表示パネルに分割されて配置された発光部の領域の中で発光量を制御する制御領域と判定する制御工程と
を含み、
前記制御工程は、前記表示パネルの前記非視認領域において、前記発光部の輝度を前記視認領域から遠くなるに従って下げる工程を含む、表示方法。
【請求項５】
使用者の視線を検出する視線検出手順と、
表示パネルと前記使用者との距離を検出する距離検出手順と、
前記視線検出手順において検出された視線に基づき、前記視線が前記表示パネルのどの位置にあるかを判定する視線位置判定手順と、
前記視線位置判定手順において判定された視線が示す前記表示パネル上の座標を中心点とする、前記使用者が視認する前記表示パネルの視認領域を、前記距離検出手順において検出された距離に基づき、設定する視認領域設定手順と、
設定された前記視認領域の外側の非視認領域を、前記表示パネルに分割されて配置された発光部の領域の中で発光量を制御する制御領域と判定する制御手順とを
コンピュータに実行させるための表示プログラムであって、
前記制御手順は、前記表示パネルの前記非視認領域において、前記発光部の輝度を前記視認領域から遠くなるに従って下げる手順を含む、表示プログラム。
【発明の詳細な説明】
【技術分野】
【０００１】
本発明は、表示装置、表示方法、および表示プログラムに関する。
【背景技術】
【０００２】
ユーザが注目する領域の明るさを低下させずに、表示装置の消費電力を削減する光源制御装置が知られている（例えば、特許文献１参照）。
【０００３】
また、使用者との距離を検出し、距離情報に基づき、液晶表示装置のバックライトの発光を制御し、消費電力の低減を図る自動調光システムが知られている（例えば、特許文献２参照）。
【０００４】
また、車両のドライバーの視線の方向を検出し、検出した視線の方向が画面上に向いていると判断した場合に、光源の光量を視認用光量とするとともに、ドライバーが画面を視認していないと判断した場合に、光源の光量を待機時光量とする表示装置が知られている（例えば、特許文献３参照）。
【０００５】
また、使用者の表示板上の視線位置を検出し、検出された視線位置及びその近傍の区画領域を照らすバックライトパネルを点灯又は点滅させる液晶表示装置が知られている（例えば、特許文献４参照）。
【先行技術文献】
【特許文献】
【０００６】
【特許文献１】特開２０１３−２３８７７４号公報
【特許文献２】特開２０１０−２２４０７５号公報
【特許文献３】特開２００９−１２２２７６号公報
【特許文献４】特開２０００−０６６１６８号公報
【発明の概要】
【発明が解決しようとする課題】
【０００７】
しかし、従来の表示装置は、使用者の視野に応じたバックライトの調光ができなかったため、省電力のためにバックライト全体を暗くすると使用者が視認している表示部分も暗くなってしまい、視認性を損なう場合があった。
【０００８】
本発明は、上記問題を解決するためになされたものであり、使用者の視認性を損なうことなくバックライトの省電力を図ることができる表示装置、表示方法、および表示プログラムを提供することを目的とする。
【課題を解決するための手段】
【０００９】
上記の課題を解決するため、本発明の一態様である表示装置は、使用者の視線を検出する視線検出センサと、表示パネルと前記使用者との距離を検出する距離検出センサと、前記視線検出センサにおいて検出された視線に基づき、前記視線が前記表示パネルのどの位置にあるかを判定する視線位置判定部を有し、前記視線位置判定部が判定した視線が示す前記表示パネル上の座標を中心点とする、前記使用者が視認する前記表示パネルの視認領域を、前記距離検出センサにおいて検出された距離に基づき、設定し、設定された前記視認領域の外側の非視認領域を、前記表示パネルに分割されて配置された発光部の領域の中で発光量を制御する制御領域と判定する制御部と、を備え、前記制御部は、前記表示パネルの前記非視認領域において、前記発光部の輝度を前記視認領域から遠くなるに従って下げる。
【００１０】
また、上記の課題を解決するため、本発明の一態様である表示方法は、使用者の視線を検出する視線検出工程と、表示パネルと前記使用者との距離を検出する距離検出工程と、前記視線検出工程において検出された視線に基づき、前記視線が前記表示パネルのどの位置にあるかを判定する視線位置判定工程と、前記視線位置判定工程において判定された視線が示す前記表示パネル上の座標を中心点とする、前記使用者が視認する前記表示パネルの視認領域を、前記距離検出工程において検出された距離に基づき、設定する視認領域設定工程と、設定された前記視認領域の外側の非視認領域を、前記表示パネルに分割されて配置された発光部の領域の中で発光量を制御する制御領域と判定する制御工程とを含み、前記制御工程は、前記表示パネルの前記非視認領域において、前記発光部の輝度を前記視認領域から遠くなるに従って下げる工程を含む。
【００１１】
また、上記の課題を解決するため、本発明の一態様である表示プログラムは、使用者の視線を検出する視線検出手順と、表示パネルと前記使用者との距離を検出する距離検出手順と、前記視線検出手順において検出された視線に基づき、前記視線が前記表示パネルのどの位置にあるかを判定する視線位置判定手順と、前記視線位置判定手順において判定された視線が示す前記表示パネル上の座標を中心点とする、前記使用者が視認する前記表示パネルの視認領域を、前記距離検出手順において検出された距離に基づき、設定する視認領域設定手順と、設定された前記視認領域の外側の非視認領域を、前記表示パネルに分割されて配置された発光部の領域の中で発光量を制御する制御領域と判定する制御手順とをコンピュータに実行させるための表示プログラムであって、前記制御手順は、前記表示パネルの前記非視認領域において、前記発光部の輝度を前記視認領域から遠くなるに従って下げる手順を含む。
【発明の効果】
【００１２】
本発明によれば、使用者の視認性を損なうことなくバックライトの省電力を図ることができる表示装置、表示方法、および表示プログラムを提供することができる。
【図面の簡単な説明】
【００１３】
【図１】本発明の一実施形態である表示装置の正面図である。
【図２】表示部の構成を示す断面図である。
【図３】複数の領域に分割された発光部の配置を示す正面図である。
【図４】表示装置の機能を示すブロック図である。
【図５】制御部の動作を示すフローチャートである。
【図６】発光を制御する発光部の制御領域を示す図である。
【図７】表示装置の機能を示すブロック図である。
【発明を実施するための形態】
【００１４】
以下、本発明を実施するための形態について、図面を参照して詳細に説明する。
図１は、本発明の一実施形態である表示装置の概略の構成を示す正面図である。図１において、表示装置１は、表示部１１、ベゼル１２、視線検出センサ１３、及び距離検出センサ１４を備える。
【００１５】
表示部１１は、図示しない画像入力部から入力された画像を表示する。表示部１１は、例えば液晶パネルを有する表示部である。本実施形態における表示部１１は、分割された複数の領域毎に調光を行う所謂ローカルディミング（局所輝度制御）を行う。表示部１１の詳細は後述する。
【００１６】
ベゼル１２は、表示部１１の周囲に設けられた外枠である。後述する、視線検出センサ１３、及び距離検出センサ１４は、ベゼル１２の一部に設けられ、表示部１１に表示された画像を見る使用者の方向に向けられているものとする。
【００１７】
視線検出センサ１３は、表示部１１に表示された画像を観る使用者の視線を検出する。視線検出センサ１３における、使用者の視線の検出方法は任意である。使用者の視線の検出方法としては、例えば、視線検出センサはカメラを有し、使用者の目頭を含む目の形状、及び使用者の眼球の虹彩の動き記録した映像を撮影する。視線検出センサ１３は、撮影された映像から使用者の目頭の位置と虹彩の位置を認識する。視線検出センサ１３は、認識した目頭の位置を基準点、虹彩を動点として、基準点と動点の位置関係に基づき視線を検出することができる。また、使用者の視線の他の検出方法として、視線検出センサ１３は、赤外線ＬＥＤから発する赤外線を使用者に照射して、赤外線が角膜で反射される角膜反射の位置と彩孔をカメラで撮影して認識し、角膜反射の位置を基準点として、彩孔との位置関係から視線を検出するようにしてもよい。
視線検出センサ１３で検出する使用者の視線は、例えば、図１に示す視線検出センサ１３の取り付け位置を基準として、使用者の視線の方向を示す立体角度として検出される。
【００１８】
なお、視線検出センサ１３は、視線を検出する映像を静止画として撮影しても動画として撮影してもよい。撮影された映像から使用者の視線を検出する検出頻度は任意である。例えば、検出頻度を１秒に１回として、撮影された動画を１秒に１回キャプチャして、キャプチャした画像から視線を検出してもよい。また、１秒に１回静止画を撮影して撮影した静止画から視線を検出してもよい。また、検出頻度は固定値であっても変動値であってもよい。例えば、表示部１１に表示される画像に応じて検出頻度を変更してもよい。
また、本実施形態では、視線検出センサ１３は、１人の使用者の視線を検出する場合を例示する。しかし、視線検出センサ１３は、複数人の使用者の視線を検出するようにしてもよい。視線検出センサ１３で撮影された映像に複数人の使用者が含まれている場合、映像に含まれる複数人の使用者の視線をそれぞれ検出するようにしてもよい。また、後述する距離検出センサによって検出された距離が一番大きい使用者の視線を検出するようにしてもよい。
また、本実施形態では、視線検出センサ１３を１台配置する場合を例示する。しかし、視線検出センサを複数配置してもよい。視線検出センサを複数配置する場合、例えば配置された視線検出センサ毎にそれぞれ検出できる使用者の範囲を定めてもよい。
また、視線検出センサ１台で使用者１人の視線を検出しても、複数人の視線を検出するようにしてもよい。
【００１９】
距離検出センサ１４は、表示部１１と表示部１１に表示された画像を見る使用者との距離を検出する。使用者との距離の検出方法は任意である。例えば、赤外線やレーザを利用したセンサにより距離を測定してもよい。
なお、本実施形態では、距離検出センサ１４は、１人の使用者の距離を検出する場合を例示する。しかし、距離検出センサ１４は、複数人の使用者の視線を検出するようにしてもよい。例えば、距離検出センサがレーダ装置のように所定の検出範囲をスキャンする場合、１台の距離検出センサ１４が複数人の使用者を検出して、それぞれの使用者との距離を検出することができる。
また、本実施形態では、距離検出センサ１４を１台配置する場合を例示する。しかし、距離検出センサを複数配置してもよい。距離検出センサを複数配置する場合、例えば配置された視線検出センサ毎にそれぞれ検出できる使用者の位置を変えてもよい。また、距離検出センサ１台で使用者１人の視線を検出するようにしてもよい。
【００２０】
なお、本実施形態では、表示部が１つの表示装置について説明するが、例えばマルチモニタシステムのように、複数の表示部が複数台近接して配置される場合、複数台の表示部を１つの表示装置として構成してもよい。
以上で、図１を用いた、本発明の一実施形態である表示装置の概略の構成の説明を終了する。
【００２１】
次に、図２及び図３を用いて、表示部１１の構成を説明する。図２は、表示部１１の構成を示す、表示部１１を図１の紙面垂直方向において切断したときの断面図である。図２において、表示部１１は、液晶パネル１１１及びバックライト１１２を備える。本実施形態では、表示パネルとして液晶パネルを例示する。バックライト１１２は、複数の領域に分割されて液晶パネル１１１の裏面に配置された発光部Ｌを備える。発光部Ｌは所定の面積を有し、光量を調整は発光部単位で行われる。本実施形態のバックライトは、液晶パネル１１１の裏面に配置して液晶パネルに直接光を透過させる直下型バックライトを例示している。発光部Ｌは、１又は複数の光源を有している。光源は、例えば、ＬＥＤ（Ｌｉｇｈｔ  Ｅｍｉｔｔｉｎｇ  Ｄｉｏｄｅ）、冷陰極管、蛍光管、ＥＬ（Ｅｌｅｃｔｒｏｌｕｍｉｎｅｓｃｅｎｃｅ）等を使用することができる。
【００２２】
図３は、バックライト１１において複数の領域に分割された発光部Ｌの配置を示す正面図である。図３において、バックライト１１２は、発光部Ｌが縦（１０）×横（８）の８０の領域に分割されて配置される場合を例示している。発光部Ｌは、１行目には発光部Ｌ０１１〜発光部Ｌ０１８の８個の発光部が配置される。また、発光部Ｌは、１列目には、発光部Ｌ０１１〜発光部Ｌ１０１の１０個の発光部が配置される。それぞれの発光部Ｌは、発光部毎に輝度を制御するローカルディミング（局所輝度制御）が行われる。
【００２３】
なお、本実施形態では、発光部を縦１０×横８の領域に分割する場合を例示したが、領域の分割数はこれに限定されない。例えば、発光部を光源単位に分割して、光源毎に制御するようにしてもよい。
また、本実施形態では、発光部Ｌの形状は矩形である場合を例示する。しかし、発光部Ｌの形状は矩形に限定されない。例えば、発光部は、円形、楕円形の形状であってもよい。また、複数の形状の発光部を組み合わせて配置してもよい。
また、発光部Ｌの配置間隔は、図３では、発光部Ｌ同士を所定の間隔を空けて配置する場合を例示したが、発光部Ｌの間隔はこれに限定されない。例えば、間隔を空けずに発光部を密接して配置するようにしてもよい。
また、本実施形態では、発光部Ｌが図３で示す格子状に配置される場合を説明したが、発光部の配置はこれに限定されない。例えば、発光部を１列毎又は１行毎に半ピッチずつずらして、千鳥格子状に配置してもよい。
また、本実施形態では、直下型のバックライトにおいて発光部を分割して制御する場合を説明したが、表示装置のバックライトは直下型には限定されない。例えばサイドライト方式において発光領域を分割して制御するものであってもよい。
【００２４】
再び図２に戻り、表示部１１の裏面には、後述する制御部１５が配置されている。制御部１５を表示部１１の裏面に配置することにより、制御部１５が使用者から見えないようにすることができる。制御部１５は、表示部１１の裏面に配置する代わりに、例えばベゼル１２の内部や表示部１１の内部に配置するようにしてもよい。
以上で、図２及び図３を用いた、表示部１１の構成の説明を終了する。
【００２５】
次に、図４を用いて、表示装置１の機能を説明する。図４は、表示装置１の機能を示すブロック図である。図４において、表示装置１は、視線検出センサ１３、距離検出センサ１４、制御部１５、及びバックライト１１２を備える。制御部１５は、視線位置判定部１５１、距離判定部１５２、視野情報記憶部１５３、及びバックライト制御部１５４を備える。
【００２６】
視線位置判定部１５１は、視線検出センサ１３で検出された表示部１１に表示された画像を見る使用者の視線に基づき、使用者の視線が表示部１１のどの位置にあるかを判定する。視線位置判定部１５１は、例えば、視線検出センサ１３で検出された視線の角度に基づき、視線が示す表示部１１上の座標（平面上の座標）を判定する。また、視線位置判定部１５１は、予め設定された表示部１１の座標範囲を参照し、視線が示す座標が表示部１１の座標範囲内であるか否かを判定する。
視線位置判定部１５１が判定する表示部１１の座標は、使用者の眼球の動きによって定まるため、使用者の眼球が安定していない場合、座標値が大きく変化することになる。そこで、例えば、判定された座標を所定時間内で平均化する処理を行ってもよい。
【００２７】
なお、本実施形態では、視線検出センサ１３が使用者の視線を検出する場合を示したが、例えば、視線検出センサ１３は撮影した映像を視線位置判定部１５１に送信し、視線位置判定部１５１において受信した映像から使用者の視線を検出するようにしてもよい。
また、視線検出センサ１３が複数人の使用者の視線を検出する場合、視線位置判定部１５１は、それぞれの使用者の視線に基づく表示部１１の座標を判定してもよい。
【００２８】
距離判定部１５２は、距離検出センサ１４が検出した表示部１１と使用者との距離に基づき、表示部１１上の視野範囲を判定する。視野範囲は、使用者が視覚できる表示部１１上の範囲であり、その形状は任意に設定してもよい。本実施形態では、視野範囲を矩形として判定する場合を説明する。
例えば、表示部１１と使用者との距離が小さければ小さい（近い）程、使用者が視覚できる表示部１１の視野範囲は狭くなる。一方、表示部１１と使用者との距離が大きければ大きい（遠い）程、使用者が視覚できる表示部１１の視野範囲は広くなる。使用者の眼球が一度に視認できる角度を視野角とすると、表示部１１の視野範囲は、表示部１１と使用者との距離と視野角によって求めることができる。本実施形態においては、視野範囲は縦横比が視野角に応じた矩形であるものとする。例えば、標準的な視野角は両眼で、水平方向１９０度、垂直方向１５０度であり、視野範囲となる矩形は縦横比が１５０：１９０とすることができる。距離判定部１５２は、予め設定された視野範囲と検出した距離に応じて、矩形の領域を視野範囲として判定する。なお、視野角は個人差があるため、後述する視野情報記憶部１５３に設定する視野情報により調整することができる。
【００２９】
距離判定部１５２は、判定された矩形の視野範囲を基に、その視野範囲に含まれる発光部Ｌの領域の大きさを判定する。視野範囲に含まれる発光部Ｌの領域の大きさは、視野範囲に含まれる発光部Ｌの面積の合計である。距離判定部１５２は、それぞれの発光部Ｌが判定された視野範囲に含まれるか否かを判定する。距離判定部１５２は、例えばそれぞれの発光部Ｌの面積に対して半分以上の面積が視野範囲である場合に視野範囲に含まれる発光部Ｌと判定するようにしてもよい。また、距離判定部１５２は、発光部Ｌの面積が全て視野範囲内である発光部Ｌを視野範囲に含まれるものとして判定してもよい。本実施形態では、視野範囲を矩形として判定するため、発光部Ｌの領域も矩形として判定されることになる。しかし、例えば、視野範囲を所定の形状の楕円を合わせた形状として判定する場合には、発光部Ｌの領域も視野範囲の形状に基づき判定されることになる。なお、距離検出センサ１４が複数人の使用者の視線を検出する場合、距離判定部１５２は、それぞれの使用者の位置を判定してもよい。
【００３０】
視野情報記憶部１５３は、使用者の視野情報を記憶する。視野角は使用者によって異なるため、視野角を固定値とすると、使用者によって発光部Ｌの領域に暗い部分が視認される場合があり、一方、視野角を広く固定すると発光部Ｌの領域が必要以上に大きくなって省電力の効果が低減する場合がある。視野情報記憶部１５３は、使用者によって異なる視野角を視野情報として予め記憶しておき、記憶された視野情報を視野範囲の調整に利用可能としている。
【００３１】
視野情報記憶部１５３に視野情報を記憶させる方法は任意である。例えば、予め定められた表示部１１と使用者の距離において、表示部１１に所定の画像を表示して、使用者が視線を表示部１１の中心にした場合の視認状況を視野情報として記憶させてもよい。視野情報記憶部１５３に記憶させる視野情報は、基本の視野範囲に対する調整量であっても、視野範囲であってもよい。例えば、基本の視野範囲に対して−１０％、０％、＋１０％の調整量を設定するものであってもよい。
【００３２】
距離判定部１５２は、視野情報記憶部１５３に記憶された視野情報を基に、視野範囲の大きさを調整することにより、使用者に応じた視野範囲を設定することができる。距離判定部１５２が判定した発光部Ｌの領域の大きさは、バックライト制御部１５４によって光量（輝度）が制御される領域の大きさとなる。
また、視野情報記憶部１５３には、視線位置判定部１５１で判定した座標を調整する情報を記憶させておいてもよい。上述のとおり、視線位置判定部１５１は、使用者の彩孔や虹彩の位置に基づき視線を判定しているが、実際に使用者が視認する視野の中心と判定された視線に基づく座標とは、ずれが生じる場合がある。視野情報記憶部１５３に、視線位置判定部１５１で判定した座標のずれを補正するための情報を記憶させておくことで、視線位置判定部１５１は使用者に応じて座標を調整することができる。
【００３３】
バックライト制御部１５４は、視線位置判定部１５１で判定された使用者の視線に基づく座標と、距離判定部１５２で判定された発光部Ｌの領域の大きさに基づき、バックライト１１２の発光部Ｌの領域を判定する。バックライト制御部１５４は、判定された領域外の発光部Ｌに対して光量（輝度）を下げる制御を行う。本実施形態では、発光部全体の領域の中で発光量を制御する領域を制御領域という。
すなわち、使用者が視認する領域のバックライト１１２の発光部Ｌは通常の輝度で発光させるため、使用者は表示部１１に表示される画像を通常の輝度で視認することができる。一方、制御領域は使用者の視野範囲外の領域であるため、輝度を下げたことを視認しにくく使用者に違和感を与えない。制御領域の発光部Ｌの輝度を下げることにより、使用者に違和感を与えることなくバックライト１１２の消費電力の低減を図ることができる。
なお、バックライト制御部１５４は、複数人の使用者の視線に基づき発光部Ｌの領域を複数設定し、設定した発光部Ｌの領域に基づき発光部Ｌの輝度を調整してもよい。
【００３４】
なお、本実施形態では、視線検出センサ１３と距離検出センサ１４を別途設置して、視線位置判定部１５１と距離判定部１２の判定結果に基づき発光部Ｌの輝度を調整する場合を例示したが、例えば、視線検出センサと距離検出センサとを一つのセンサで実現してもよい。例えば、ビデオカメラで撮影された映像から使用者の視線と使用者との距離を同時に検出するようにしてもよい。
以上で、図４を用いた、表示装置１の機能の説明を終了する。
【００３５】
次に図５を用いて、制御部１５の動作を説明する。図５は、制御部１５の動作を示すフローチャートである。
【００３６】
図５において、制御部１５は、使用者を検出したか否かを判断する（Ｓ１）。使用者の検出は、例えば距離判定部１５２において距離検出センサ１４が使用者を検出したか否かを判断することによって行うことができる。
使用者を検出しなかった場合（Ｓ１；ＮＯ）、制御部１５は、再びステップＳ１の処理を実行する。すなわち、使用者が検出されるまでステップＳ１の処理が繰り返されることになる。
【００３７】
一方、使用者を検出した場合（Ｓ１；ＹＥＳ）、制御部１５は、使用者までの距離を判定する（Ｓ２）。使用者までの距離の判定は、上述した通り、距離検出センサ１４で検出された使用者までの距離に基づく。
【００３８】
ステップＳ２の処理を実行後、制御部１５は、視線が検出されたか否かを判断する（Ｓ３）。視線が検出されたか否かの判断は、視線位置判定部１５１で判断することができる。すなわち、視線位置判定部１５１が視線検出センサ１３で検出した視線の座標が、表示部１１上であるか否かで判断することができる。例えば、ステップＳ１において使用者を検出した場合であっても、使用者が表示部１１を見ていない場合は、ステップＳ３の処理で視線が検出されなかったと判断される。
視線が検出されなかった場合（Ｓ３；ＮＯ）、制御部１５は、再びステップＳ１の処理を実行する。すなわち、使用者が検出されても視線を検出するまでステップＳ１〜ステップＳ３の処理が繰り返されることになる。
【００３９】
一方、視線が検出された場合（Ｓ３；ＹＥＳ）、制御部１５は視線位置を判定する。視線位置は、表示部１１上の座標として判定される。制御部１５は、上述のとおり、所定時間内における平均値として座標を判定してもよい。
【００４０】
ステップＳ４の処理の実行後、制御部１５は、バックライトの制御範囲を判定する（Ｓ５）。バックライトの制御範囲の判定は、上述の通り、判定された視線位置と使用者までの距離に基づき、バックライトの発光部Ｌの領域を判定することにより行うことができる。
【００４１】
ステップＳ５の処理の実行後、制御部１５は、バックライト１１２の各発光部Ｌに対して、輝度を調整する制御信号を出力する（Ｓ６）。本実施形態では、使用者の視認範囲にある発光部Ｌの領域は輝度を変更せず、使用者の視認範囲外である制御領域の発光部の輝度を下げて省電力を図る。
以上で、図５を用いた、制御部１５の動作の説明を終了する。
【００４２】
次に、図６を用いて、発光を制御する発光部の領域について説明する。図６（ａ）は、表示部１１と使用者との距離がＬａであり、図６（ｂ）における表示部１１と使用者との距離Ｌｂに比べて近い場合の発光を制御する発光部の領域を示す図である。図６（ｂ）は、表示部１１と使用者との距離Ｌｂが図６（ａ）のＬａに比べて遠い場合の発光を制御する発光部の領域を示す図である。なお、図６（ａ）及び図６（ｂ）において、図１と同じ構成については同じ符号を付して説明を省略する。
【００４３】
図６（ａ）において、使用者の位置Ｌ１は、表示部１１からＬａの距離にある位置である。使用者の位置Ｌ１は、図６（ｂ）の使用者の位置Ｌ２に比べて表示部１１に近い位置である場合を例示している。表示部１１上に示される領域１１１ａは、中心点Ａの周囲に横方向ｘ１、縦方向ｙ１の領域を有するものとする。中心点Ａは、上述の通り、視線位置判定部１５１によって判定された使用者の視線に基づく表示部１１上の点である。すなわち、使用者は、中心点Ａを中心に表示部１１を視認しているものとする。ｘ１及びｙ１で示す領域１１１ａの範囲は、上述のとおり、距離判定部１５２によって判定された表示部１１と使用者との距離に基づいて設定される。従って、使用者が表示部１１に接近した場合は、領域１１１ａの面積が小さくなる。制御部１５は、領域１１１ａの外側の制御領域にある発光部の輝度を下げるため、使用者が表示部１１に接近した場合、制御領域が大きくなり、輝度が下がる発光部の範囲が広くなることにより、使用電力の低減を図ることができる。
【００４４】
図６（ｂ）において、使用者の位置Ｌ２は、表示部１１からＬｂの距離にある位置である。使用者の位置Ｌ２は、図６（ａ）の使用者の位置Ｌ１に比べて表示部１１に遠い位置である場合を例示している。表示部１１上に示される領域１１１ｂは、中心点Ｂの周囲に横方向ｘ２、縦方向ｙ２の領域を有するものとする。中心点Ｂは、上述の通り、視線位置判定部１５１によって判定された使用者の視線に基づく表示部１１上の点である。すなわち、使用者は、中心点Ｂを中心に表示部１１を視認しているものとする。ｘ２及びｙ２で示す領域１１１ｂの範囲は、上述のとおり、距離判定部１５２によって判定された表示部１１と使用者との距離に基づいて設定される。従って、使用者が表示部１１から離れた場合は、領域１１１ｂが１１１ａに比べて大きくなる。制御部１５は、領域１１１ｂの外側の領域にある制御領域の発光部の輝度を下げることにより、使用電力の低減を図ることができる。
【００４５】
すなわち、本実施形態における表示装置１は、表示部１１と使用者との距離の変化に応じて輝度を調整する発光部の領域を変更することにより、使用者が視認する領域においては輝度の高い画像を表示するとともに、使用が視認しない制御領域の輝度を下げて、使用者に違和感を与えずに省電力を図ることが可能となる。
なお、本実施形態では、領域１１１ａ又は領域１１１ｂの外側の制御領域の発光部の輝度を一様に下げる場合を例示した。しかし、制御領域の発光部の輝度を使用者の視野範囲から遠くなるに従って下げるように輝度を段階的に下げるようにしてもよい。輝度を段階的に下げることにより、使用者は、制御領域において輝度が下げられることを視認しにくくなる。
以上で、図６を用いた、発光を制御する発光部の領域についての説明を終了する。
【００４６】
次に、図７を用いて、表示装置２の機能を説明する。図７は、表示装置２の機能を示すブロック図である。
図７において、表示装置２は、表示パネル２１と、使用者の視線を検出する視線検出センサ２３と、前記使用者との距離を検出する距離検出センサ２４と、前記視線検出センサ２３において検出された視線と前記距離検出センサ２４において検出された距離に基づき、前記表示パネル２１に分割されて配置された発光部の領域の中で発光量を制御する制御領域を判定する制御部２５とを備える。
なお、表示装置２における視線検出センサ２３、距離検出センサ２４、及び制御部２５は、表示部１における視線検出センサ１３、距離検出センサ１４、及び制御部１５と同様の機能を有するため、説明を省略する。
以上で、図７を用いた、表示装置２の機能の説明を終了する。
【００４７】
なお、本実施形態では表示部１１に液晶パネルを使用する場合を例示したが、例えば有機ＥＬディスプレイやプラズマディスプレイ等においても実施することができる。すなわち、有機ＥＬディスプレイやプラズマディスプレイ等において、複数の発光部を独立して制御できるローカルディミングが可能なものにおいて実施することができる。
また、本実施形態では、視線検出センサ１３及び距離検出センサ１４は、表示装置１のベゼル１２に配置する場合を例示したが、ベゼル１２と離れた位置に配置するようにしてもよい。
【００４８】
なお、上述した制御部１５又は制御部２５は、表示部が接続可能なコンピュータで実現するようにしてもよい。その場合、各機能ブロックの機能を実現するためのプログラムをコンピュータ読み取り可能な記録媒体に記録して、この記録媒体に記録されたプログラムをコンピュータシステムに読み込ませ、実行することで実現してもよい。ここでいう「コンピュータシステム」とは、ＯＳや周辺機器等のハードウエアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Ｆｉｅｌｄ  Ｐｒｏｇｒａｍｍａｂｌｅ  Ｇａｔｅ  Ａｒｒａｙ）等のプログラマブルロジックデバイスを用いて実現されるものであってもよい。
【００４９】
また、表示装置１又は表示装置２の各機能は、図１、又は図７等で説明した機能を有する限り、複数の図示した機能ブロックを１の機能ブロックにまとめて実装してもよいし、図示した１の機能ブロックを複数の機能ブロックとして分割して実装してもよい。
【００５０】
以上、この発明の実施形態について図面を参照して詳述してきたが、具体的な構成はこの実施形態に限られるものではなく、この発明の要旨を逸脱しない範囲の設計等も含まれる。
【符号の説明】
【００５１】
１、２  表示装置
１１  表示部
１１１  液晶パネル
１１２  バックライト
１２  ベゼル
１３、２３  視線検出センサ
１４、２４  距離検出センサ
１５、２５  制御部
１５１  視線位置判定部
１５２  距離判定部
１５３  視野情報記憶部
１５４  バックライト制御部
【図１】
0006652251.tif 000002
【図２】
0006652251.tif 000003
【図３】
0006652251.tif 000004
【図４】
0006652251.tif 000005
【図５】
0006652251.tif 000006
【図６】
0006652251.tif 000007
【図７】
0006652251.tif 000008